(57)【特許請求の範囲】
【請求項１】
造影剤を充填したシリジンと患者血管に穿刺する針とを連通する延長チューブが等しい外径を持ち、該延長チューブのチューブ開放端近傍の延長チューブ外周面に筒状の基部が直接固着され、該基部には前記チューブ開放端を突出するように筒状のネジ部が自由回転可能に取り付けられてキャップ装着部が構成され、該ネジ部の内周面には前記針の針結合部がネジ結合される雌ネジが形成されており、前記雌ネジにネジ結合される延長チューブ用液溜キャップであって、
前記ネジ部の内側に嵌る外径で、且つ延長チューブのチューブ開放端側が入る内部を有し、該内部の延長チューブの入る領域が等しい内径に形成されており、キャップ口部周囲の一部に前記ネジ部の雌ネジに螺合する雄ネジの働きをする一対の円弧状の突出リブを互いに反対側となるよう形成されたキャップ口部と、該キャップ口部が一体化され、外面の長手方向に伸びた凸条が所定間隔で複数形成され、前記針を結合する前に延長チューブの開放端から垂れる造影剤を収容する液溜部とを具えていることを特徴とする延長チューブ用液溜キャップ。
【発明の詳細な説明】
【０００１】
【発明が属する技術分野】
本発明は、造影剤を患者血管に注入する作業において、エア抜きを完了した延長チューブに、患者血管に穿刺した針を結合するまでの間に延長チューブから造影剤が垂れるの防止するためのチューブ用液溜キャップに関する。
【０００２】
【従来の技術】
従来、造影剤は、予めシリンジに充填されているもの、或いは使用時にシリンジに充填するものが使用される。造影剤が予め充填されたシリンジを使用する場合には、シリンジに延長チューブを結合した後、ピストンを押して該チューブのエア抜きを行う。一方、使用時に造影剤をシリンジに充填する場合には、先ず造影剤をシリンジに充填した後、延長チューブをシリンジに結合し、ピストンを押してシリンジ、チューブ内の空気抜きを行う。
上記のエア抜き終了後、留置針という針を患者血管に穿刺する。これにより血液が逆流して針内を満たす。そして、エア抜きを完了した延長チューブと患者血管に穿刺した針を結合（輪転式結合）し、接続を完了する。この状態で、撮影のタイミングに合わせて、造影剤の注入が実行される。
【０００３】
【発明が解決しようとする課題】
上記の作業において、患者血管に針を穿刺し、針に血液を充満させる間、エア抜きを完了した延長チューブから粘性の高い造影剤がポタポタと床、医療機器に垂れるという問題があった。
本発明の目的は、患者血管に穿刺した針と延長チューブとを結合する前の延長チューブの開放端から垂れる造影剤を収容する延長チューブ用液溜キャップを提供することにある。
【０００４】
【課題を解決するための手段】
請求項１の発明に係る延長チューブ用液溜キャップは、造影剤を充填したシリジンと患者血管に穿刺する針とを連通する延長チューブが等しい外径を持ち、該延長チューブのチューブ開放端近傍の延長チューブ外周面に筒状の基部が直接固着され、該基部には前記チューブ開放端を突出するように筒状のネジ部が自由回転可能に取り付けられてキャップ装着部が構成され、該ネジ部の内周面には前記針の針結合部がネジ結合される雌ネジが形成されており、前記雌ネジにネジ結合される延長チューブ用液溜キャップであって、
前記ネジ部の内側に嵌る外径で、且つ延長チューブのチューブ開放端側が入る内部を有し、該内部の延長チューブの入る領域が等しい内径に形成されており、キャップ口部周囲の一部に前記ネジ部の雌ネジに螺合する雄ネジの働きをする一対の円弧状の突出リブを互いに反対側となるよう形成されたキャップ口部と、該キャップ口部が一体化され、外面の長手方向に伸びた凸条が所定間隔で複数形成され、前記針を結合する前に延長チューブの開放端から垂れる造影剤を収容する液溜部とを具えていることを特徴とする。
請求項１の発明によれば、延長チューブのエア抜き終了後、液溜キャップを延長チューブの開放端に装着することにより、その後の針を患者血管に穿刺する作業中に、チューブ開放端から垂れる造影剤が液溜キャップ内に収容される。
【０００５】
また、延長チューブの開放側を液溜キャップのキャップ口部に合わせてキャップ内に入れる共に、キャップ口部を延長チューブのキャップ装着部にネジ結合させることにより、液溜キャップが延長チューブにしっかりと装着され、チューブ開放端から垂れる造影剤が確実に液溜キャップ内に収容される。
【０００６】
【発明の実施の形態】
本発明の実施例について図面を参照しながら説明する。図１は本発明に係る延長チューブ用キャップの実施態様の説明図である。
シリンジ1は、例えばＣＴ用造影剤注入装置ヘッドの注入器ホルダに装着される。シリンジ1に充填された造影剤は、延長チューブ２を介して患者血管に穿刺された針２０を通して注入される。延長チューブ２は、シリンジ1側に活栓３を設けたものや活栓３のないものがある。活栓３は、操作ノブ５を矢印方向に回動操作して二方向の液路を切換える弁であって、蓋４を外してもう一方の液路を形成する延長チューブ２を接続できるよう構成されている。
【０００７】
延長チューブ２の開放端には、針２０が結合されると共に、液溜キャップ１０を接続する為のキャップ装着部６が設けられている。キャップ装着部6は、図２に示すように延長チューブ２に基部７が固着され、この基部７には内周面に雌ネジ９が形成されたネジ部８が自由回転可能に取り付けられている。ネジ部８には、キャップ口部１１及び針結合部２１を利用して液溜キャップ１０又は針２０がネジ結合される。図３は液溜キャップ１０の結合状態を示す。
【０００８】
液溜キャップ１０を詳しく説明する。図４は本発明に係る延長チューブ用液溜キャップの一実施例を示す一部断面を示す図、図５はキャップ口部の正面図、図６は図４のI-I断面図である。液溜キャップ１０は、チューブ開放端に接続されるキャップ口部１１と、チューブ開放端から垂れる造影剤を収容する液溜部１２とを具えている。キャップ口部１１は、ネジ部8の内側に嵌る外径を有し、その周囲の一部には図５に示すようにネジ部8の雌ネジに螺合する雄ネジの働きをする一対の突出リブ１３が形成されている。液溜部１２の外面には、長手方向に伸びた凸条１４が、図6に示すように所定角度の間隔で複数形成されている。
本実施例において、針２０の針結合部２１は、上記キャップ口部１１と同じ構造が採用されており、液溜キャップ１０の装着操作と同様に針２０をキャップ装着部６を利用して延長チューブ２に結合することができる。
【０００９】
次に本実施例の液溜キャップの使用について説明する。図1において、造影剤を充填したシリンジ1に延長チューブ２を結合した後、ピストンを押して延長チューブ２のエア抜きを行う。このエア抜き終了後、液溜キャップ１０のキャップ口部１１を延長チューブ１０のキャップ装着部６に合わせ、ネジ部８を回してネジ結合させ、図３に示すように延長チューブ２の開放端に液溜キャップ１０を装着する。この作業は、液溜キャップ１０の外周の凸条により、液溜キャップ１０をしっかりと保持でき、確実かつ短時間に装着することができる。液溜キャップ１０の装着後に、針を患者血管に穿刺する。これにより血液が逆流して針内が満たされる。この間、延長チューブ１０の開放端から垂れる造影剤は液溜キャップ１０内に収容される。エア抜きを完了した延長チューブ２と患者血管に穿刺した針を結合し、接続を完了する。この状態で、撮影のタイミングに合わせて、造影剤の注入が実行される。
【００１０】
【発明の効果】
本発明によれば、液溜キャップを延長チューブの開放端に装着することにより、針を患者血管に穿刺する作業中に、チューブ開放端から垂れる造影剤を液溜キャップ内に収容するので、チューブ開放端から造影剤が床や医療機器に垂れるのを防止することができる。
また、液溜キャップはキャップ装着部を回してネジ結合させる際に、その外周に形成された凸条により、しっかりと保持でき、確実かつ短時間に装着することができる。更にキャップ装着部は針と液溜キャップの延長チューブへの共通の結合部材であり、同じ操作で装着できる。
【図面の簡単な説明】
【図１】本発明に係る延長チューブ用液溜キャップの実施態様の説明図である。
【図２】延長チューブのキャップ装着部の断面図である。
【図３】延長チューブのキャップ装着部に液溜キャップを装着した状態を示す図である。
【図４】本発明に係る延長チューブ用液溜キャップの一実施例を示す半分断面を示す図である。
【図５】本発明に係る延長チューブ用液溜キャップのキャップ口部の正面図である。
【図６】図４のＩ-Ｉ断面図である。
【符号の説明】
１    シリンジ
２    延長チューブ
３    活栓
６    キャップ装着部
１０  液溜キャップ
【図１】
0004124810.tif 000002
【図２】
0004124810.tif 000003
【図３】
0004124810.tif 000004
【図４】
0004124810.tif 000005
【図５】
0004124810.tif 000006
【図６】
0004124810.tif 000007